(57)【要約】【課題】複数のデータ表示装置の情報の流れを制御する仕組みを構築し、これらのデータ表示装置を一つの複合的なツールとして利用することができ、情報共有システムとしてデータを利用することが可能なデータ連携装置およびデータ連携方法を提供する。【解決手段】連携用キーデータを収納した上流側データ表示装置と、前記上流側データ表示装置において選択された上流側連携用キーデータが入力されて、この上流側連携用キーデータを予め作成された連携用データベースと照合して、関連付けるべき下流側データ表示装置およびこの下流側データ表示装置が保有する下流側連携用キーデータとを指定して出力するデータ制御装置と、前記下流側連携用キーデータが情報として伝達されて、前記下流側連携用キーデータに該当する情報が表示される前記下流側データ表示装置とからなることを特徴とするデータ連携装置。【選択図】  図１
2005004275.tif 000002
【特許請求の範囲】
【請求項１】
連携用キーデータを収納した上流側データ表示装置と、前記上流側データ表示装置において選択された上流側連携用キーデータが入力されて、この上流側連携用キーデータを予め作成された連携用データベースと照合して、関連付けるべき下流側データ表示装置およびこの下流側データ表示装置が保有する下流側連携用キーデータとを指定して出力するデータ制御装置と、前記下流側連携用キーデータが情報として伝達されて、前記下流側連携用キーデータに該当する情報が表示される前記下流側データ表示装置とからなることを特徴とするデータ連携装置。
【請求項２】
前記上流側データ表示装置に収納された前記上流側連携用キーデータは、前記上流側データ表示装置から予め取得されて、前記データ制御装置の前記連携用データベースとして使用可能なように加工されたことを特徴とする請求項１記載のデータ連携装置。
【請求項３】
前記上流側連携用キーデータは、対象文字列の部分または全体を入力して検索し、または前記上流側データ表示装置内のリストから選択して取得することが可能な請求項１記載のデータ連携装置。
【請求項４】
前記連携用データベースは、メインキーとしての前記上流側データ表示装置と共通の前記上流側連携用キーデータと、サブキーとしての前記下流側データ表示装置と共通の前記下流側連携用キーデータを対応表として保有し、メインキーに該当する前記データ表示装置からの情報が入力されると、サブキーに該当する情報を前記下流側データ表示装置に出力することを特徴とする請求項１記載のデータ連携装置。
【請求項５】
前記下流側データ表示装置の前記下流側連携用キーデータを選択することにより、前記データ制御装置または他のデータ表示装置により関連付けされたさらに下流のデータ表示装置にデータが表示されることを特徴とする請求項１記載のデータ連携装置。
【請求項６】
前記連携用データベースにより、前記上流側データ表示装置のファイルを前記下流側データ表示装置の保有するプログラムおよびファイルと対応させ、下流側データ表示装置の表示データに関連付ける請求項１記載のデータ連携装置。
【請求項７】
前記データ連携装置の構成は、前記上流側データ表示装置と前記データ制御装置と前記下流側データ表示装置の基数の比率がＮ１対Ｎ２対Ｎ３（Ｎ１，Ｎ２，Ｎ３は自然数）で表されることを特徴とする請求項１記載のデータ連携装置。
【請求項８】
複数の前記上流側データ表示装置と複数の前記下流側データ表示装置と複数の前記データ制御装置とを直列に連結させたことを特徴とする請求項１記載のデータ連携装置。
【請求項９】
複数の前記上流側データ表示装置と複数の前記下流側データ表示装置と複数の前記データ制御装置が、並列的または直列的に接続されて系統的なシステムを構成することを特徴とする請求項７または請求項８記載のデータ連携装置。
【請求項１０】
上流側データ表示装置に収納された上流側連携用キーデータを選択するステップと、選択された上流側連携用キーデータをデータ制御装置に入力するステップと、このデータ制御装置が保有する連携用データベースによって前記上流側連携用キーデータと対応する下流側データ表示装置およびこの下流側データ表示装置が保有する下流側連携用キーデータを検索して出力するステップと、出力された前記下流側連携用キーデータを前記下流側データ表示装置に伝達して表示させるステップとからなることを特徴とするデータ連携方法。
【請求項１１】
前記上流側データ表示装置および前記下流側データ表示装置にて必要な情報が図面または帳票の形式で表示され、この図面または帳票のデータを更新することにより、前記データ制御装置およびこのデータ制御装置に連携する全てのデータ表示装置の保有する関連情報が更新されることを特徴とする請求項１０記載のデータ連携方法。
【発明の詳細な説明】
【０００１】
【発明の属する技術分野】
本発明は、複数のデータ表示装置およびデータ制御装置を連携して構成し、それらのデータ表示装置の保有するデータを系統的に処理するデータ連携装置に関する。
【０００２】
【従来の技術】
データ表示装置とはＰＣ上でデータを表現可能な、あらゆるソフトウェアを示す。具体的には、例えば設計ツールを例とすると、二次元ＣＡＤ、三次元ＣＡＤ、三次元レビューソフト、インターネットホームページ、スプレッドシートなどが例示される。
【０００３】
従来、これらのデータ表示装置は、それぞれ単一の目的で使用されることが主であり、またこれらのデータ表示装置はその目的に応じて機能追加することによって更新されてきたが、データ表示装置の独立性が高く、複数のデータ表示装置を結び付けて相互にリンクしていなかった。
【０００４】
すなわち、従来、設計段階で使用されるデータ表示装置同士は関連付けられずに、それぞれのデータ表示装置において単独でデータが処理されて完結していた。つまり、完成されたデータは、他のデータ表示装置が保有する情報と結び付けられることが少なかった。
【０００５】
特に、データ交換および照合の必要のある場合に限り、それぞれのデータを変換して取込むこともあるが、基本的にはデータに互換性を持たせて、系統的に処理することは行われていなかった。
【０００６】
また、上述したような設計ツールである二次元ＣＡＤ、三次元ＣＡＤや三次元レビューツール等はエンジニアリングツールとしての性質上、特に独立性が高く、それぞれのデータ表示装置を個別に扱う傾向が顕著であった。従って、それぞれのデータ表示装置において設計作業を終えれば、データが部分的に流用されることはあっても、系統的なデータ連携には利用されなかった。
【０００７】
しかしながら、設計の正確さを向上することと設計コストとを両立するためには、各々のデータ表示装置に保有されるデータが明確に対応し、それらの複合的な情報を統括的に、少ない労力で求められる構成が求められる。
【０００８】
一方、インターネットホームページやスプレッドシートは、それ自身のデータの中に次のアクションを埋め込んで、プログラムを起動してデータ連携することもあるが、上流ツールと下流ツールの間に位置して、情報の流れを制御することにより包括的な情報ツールのネットワークを構築するものは少なかった。
【０００９】
一方で、限定的なものながら、複数のデータ表示装置を関連付ける仕組みも開示されている。例えば、３次元レイアウト設計支援装置として回路図と三次元レイアウトモデルを関連付けた技術が開示されている（特許文献１参照）。
【００１０】
【特許文献１】
特開平１１−３４５２４８号公報
【００１１】
【発明が解決しようとする課題】
しかしながら、上記したような技術は、複数の独立したデータ表示装置を連携させるものではない。従って、決まったデータ表示装置しか連携できないため、使用条件に応じた使用しやすい複合的な設計ツールを構築することが困難であるという問題点があった。
【００１２】
また、上述したように従来のデータ表示装置は、それぞれ単一の目的で使われることが主であり、複数のツールを結び付けて相互にリンクする十分な方法がなかった。一元管理的なツールはこれまでにもあったが、複数のまったく独立したデータ表示装置群の間に位置して、それぞれのデータ表示装置を関連付ける仕組みが構築されていなかった。
【００１３】
また、複数のデータ表示装置を包括的に管理するためには、目的に応じたデータ同士の関連付けが必要であるが、例えば、従来の一元管理ツールの中には、複数のデータ表示装置にそれぞれ保存されたデータのうち、同一文字列でタグ管理するツールもあった。しかしながら、このような従来の一元管理ツールは、データの関連付けが簡易なものに限定されているため、設計に必要な情報が系統的に管理されているとは言えなかった。
【００１４】
本発明は、上述したような課題を解決するためになされたものであり、複数のデータ表示装置の情報の流れを制御する仕組みを構築し、これらのデータ表示装置を一つの複合的なツールとして利用することができ、情報共有システムとしてデータを利用することが可能なデータ連携装置およびデータ連携方法を提供することを目的とする。
【００１５】
【課題を解決するための手段】
本発明に係るデータ連携装置は、上述した課題を解決するために、請求項１に記載したように、連携用キーデータを収納した上流側データ表示装置と、前記上流側データ表示装置において選択された上流側連携用キーデータが入力されて、この上流側連携用キーデータを予め作成された連携用データベースと照合して、関連付けるべき下流側データ表示装置およびこの下流側データ表示装置が保有する下流側連携用キーデータとを指定して出力するデータ制御装置と、前記下流側連携用キーデータが情報として伝達されて、前記下流側連携用キーデータに該当する情報が表示される前記下流側データ表示装置とからなることを特徴とするものである。
【００１６】
また、本発明に係るデータ連携方法は、上述した課題を解決するために、請求項１０に記載したように、上流側データ表示装置に収納された上流側連携用キーデータを選択するステップと、選択された上流側連携用キーデータをデータ制御装置に入力するステップと、このデータ制御装置が保有する連携用データベースによって前記上流側連携用キーデータと対応する下流側データ表示装置およびこの下流側データ表示装置が保有する下流側連携用キーデータを検索して出力するステップと、出力された前記下流側連携用キーデータを前記下流側データ表示装置に伝達して表示させるステップとからなることを特徴とする方法である。
【００１７】
【発明の実施の形態】
本発明に係るデータ連携装置の実施の形態について、以下に詳細に説明する。
【００１８】
図１に、本発明に係るデータ連携装置の第１の実施形態である最もシンプルな構成を示す。
【００１９】
なお、以下の各実施の形態において、プログラムとはデータ表示装置に内蔵されたソフトウェアのプログラムを指し、ファイルとは、それぞれのデータ表示装置に収納された情報のデータファイルを示す。
【００２０】
また連携用キーデータとは、それぞれのデータ表示装置に格納された、あるいは対応するように格納された属性情報を有するデータであり、この連携用キーデータと、データ制御装置内に収納されたデータベースとが一定の対応をなすものである。
【００２１】
図１において、データ表示装置１Ａとデータ制御装置１Ｂとデータ表示装置１Ｃは直列に接続される。データの流れ方向は１Ａ→１Ｂ→１Ｃの順であり、このケースにおいて１Ａを上流側データ表示装置、１Ｃを下流側データ表示装置と呼ぶ。また１Ｂはデータ制御装置である。
【００２２】
ここで、連結されているのはデータ表示装置同士であるが、概念的には、それぞれのデータ表示装置が保有するプログラムまたはファイル同士が連携したシステムであると表現することも可能である。
【００２３】
まず、データ表示装置１Ａにおいてデータ連携用キーデータ１ＡＡを取得する。ここで、連携用キーデータ１ＡＡは、連携用キーデータのリストから照合して選択する方法や、図面等を直接ピックする方法、または文字列等の検索条件を直接入力して検索する方法により選択することが可能である。データ表示装置１Ａには、連携用データ１ＡＡに関する属性情報が予め埋め込んであり、データ表示装置１Ａ上におけるデータ指定により連携用データ１ＡＡの属性情報が取得されるように構成される。
【００２４】
次に、連携用キーデータ１ＡＡが１Ｂに伝達される。ここでデータ制御装置１Ｂが制御する連携用データベース１Ｅ内で、連携用キーデータ１ＡＡが検索される。その結果、連携用キーデータ１ＡＡに対応するデータ表示装置１Ｃ及び連携用キーデータ１ＣＡが検索される。ここで連携用キーデータ１ＣＡはデータ表示装置１Ｃが保有する連携用キーデータである。
【００２５】
上記連携用データベース１Ｅとは、図１に示すように、上流側データ表示装置１Ａに保有される連携用キーデータ１ＡＡをメインキーとし、このメインキーにサブキーとして下流側データ表示装置名１Ｃとこの下流側データ表示装置１ＣＡが保有する下流側連携用キーデータが対応した一覧表とされる。すなわち、目的とする連携用キーデータ１ＡＡを上流側データ表示ツール１Ａにより指定すると、連携用データベース１ＡＡが検索され、この連携用キーデータ１ＡＡに対応する情報（下流側データ表示装置名１Ｃおよび下流側データ表示装置１ＣＡ）が出力される仕組みである。
【００２６】
ここで対応表とは、データ制御装置内に存在していればよく、実際の帳票としての形式でなくともよい。
【００２７】
すなわち、図１に示すように、データ表示装置１Ａから伝達された連携用データ１ＡＡは、連携用データベース１Ｅに入力される。この連携用データベース１Ｅに対応表が設けられ、この対応表内において対応するデータ表示装置１Ｃおよび連携用キーデータ１ＣＡが決定される。
【００２８】
なお、この連携用データベース１Ｅ内には、データ表示装置１Ｃが保有するプログラムと同等のプログラムが存在するのでなく、すなわちデータ表示装置１Ｃおよび連携用データ１ＣＡの存在を検索照合する検索手段が存在する。
【００２９】
上記検索により、連携用キーデータ１ＡＡと連携用キーデータ１ＣＡとが対応することが明らかとなると、データ制御装置１Ｂからデータ表示装置１Ｃへ連携用キーデータ１ＣＡが伝達され、１Ｃ上で関連するデータを表示することが可能となる。すなわち、データ表示装置１Ａにおいて特定の連携用キーデータ１ＡＡを指定すると、その連携用キーデータ１ＡＡに対応する連携用キーデータ１ＣＡが検索されてデータ表示装置１Ｃに表示される。
【００３０】
この図１においては、データ制御装置１Ｂがデータ表示装置１Ａとデータ表示装置１Ｃの中間に位置して制御することにより、１Ａのデータと関連する情報を１Ｃ上で表示することが可能となる。
【００３１】
本発明のデータ連携装置とは、上記した系統的なシステムを指し、具体的には、データ表示装置およびデータ制御装置からなる包括的なシステムを示すものである。
【００３２】
一方、図１のシステム構成図を並列に展開して、図２に示すような第２の実施形態のデータ連携装置とすることも可能である。
【００３３】
図２は、データ制御装置２Ｄを中心に、上流にデータ表示装置２Ａ、２Ｂ、２Ｃが存在し、下流にデータ表示装置２Ｆ、２Ｇ、２Ｈが存在するシステム構成図である。この図２のシステムにおいて、データ表示装置２Ａ，２Ｂ，２Ｃ，２Ｆ，２Ｇ，２Ｈに、それぞれの連携用キーデータ２ＡＡ，２ＢＡ，２ＣＡ，２ＦＡ，２ＧＡ，２ＨＡが用意されている。
【００３４】
データ制御装置２Ｄに収納される連携用データベース２Ｅの中には、図２に示すように上流の連携用キーデータをメインキーとして、サブキーとしての下流のデータ表示装置２Ｆ，２Ｇ，２Ｈ、およびその連携用データ２ＦＡ，２ＧＡ，２ＨＡとの対応表が格納されている。
【００３５】
ここでデータ表示装置２Ａと２Ｇとを連携する方法について説明する。まずデータ表示装置２Ａ上で連携用キーデータ２ＡＡを指定する。連携用キーデータ２ＡＡはデータ制御装置２Ｄへ伝達され、データ制御装置２Ｄ内に保有される連携用データベース２Ｅ内で連携用キーデータ２ＡＡに関する情報を取得する。すなわち、連携用キーデータ２ＡＡとデータ表示装置２Ｇおよび連携用キーデータ２ＧＡの組み合わせが選択される。この組み合わせは、データ制御装置２Ｄの内部の連携用データベース２Ｅで行われている。
【００３６】
次にデータ制御装置２Ｄは、データ表示装置２Ｇへ連携用キーデータ２ＧＡのデータを表示するよう命令する。この命令によりデータ表示装置２Ｇ上で連携用キーデータ２ＧＡを表示する。
【００３７】
さらに別の構成として、図１の構成図を連続的に展開して、図３に示すような第３の実施形態のデータ連携装置として構成することも可能である。
【００３８】
データ表示装置３Ａ、３Ｃ、３Ｅの間にそれぞれデータ制御装置３Ｂと３Ｄが直列的に連結されて存在する。このシステム構成においてはデータ表示装置とデータ制御装置が交互に連結していればよく、図３以上のデータ表示装置とデータ制御装置構成を連結した構成としても成り立つ。なお、データ制御装置３Ｂがデータ表示装置３Ａと３Ｃの間を連携させる仕組みについては図１の例で説明した通りである。
【００３９】
この図３に示すデータ連携装置においては、さらにデータ表示装置３Ｃ上の連携用キーデータからデータ制御装置３Ｄを介して、データ表示装置３Ｅ上で３Ｃのデータと関連する連携用キーデータを表示する。ここで、データ表示装置３Ｃはデータ表示装置３Ａと連携していても、また連携していなくても連携用キーデータを独立的に出力することが可能である。
【００４０】
以上説明したように、データ表示装置とデータ制御装置とを組み合わせてシステム化することにより、複数の独立したデータ表示装置を一つの大きな仮想システムとして扱うことができる。
【００４１】
以下に、本発明に係るデータ連携装置の実施の形態について、発電所用機器及びプロセス配管を具体例として説明する。
【００４２】
三次元レビューツールとは、三次元配置調整用ＣＡＤデータ内に入り込んだかのようなウォークスルーを画面上にて可能とするツールである。この三次元レビューツールは、プラントの通路性確認、機器や弁へのアクセス性確認、また機器干渉の視覚的チェックなどに便利であるため、発電所プラント計画時の標準ツールとなりつつある。また昨今では計画時だけでなく建設サイトでの確認にも使われ始めている。
【００４３】
しかし三次元レビューツールを建設サイトで使うには、以下のような２つの大きな問題があった。
【００４４】
まず一つ目の問題は、仮想空間内において目当ての部品へ辿り着くのが困難なことである。建設サイトにおいては、系統図上・系統別配管図上の部品と実際の部品の照合に多くの時間が費やされている。この照合作業において三次元レビューツールを活用すれば、正確な照合が可能であり確認時間が短縮されるはずであるが、プラント全体の膨大な物量となると、仮想空間内でのウォークスルーだけで目的とする部品に辿り着くのは大変な作業であった。
【００４５】
また、照合作業には、プラント計画および建設に携わっていない計装・試運転エンジニアが担当することもあるが、こうした実際にプラント計画および建設に携わっていないエンジニアでも簡単に三次元モデル上の目当ての部品へ辿り着くことが可能な仕組みが必要とされていた。
【００４６】
もう一つの問題は、三次元レビューツールが単なるレビューツールに留まっていることである。仮想空間内で目当ての部品に辿り着いても、そこで現状の三次元レビューツールによって得られる情報は、部品の建設後の周辺状況のみである。しかし、三次元イメージで状況を把握すれば、さらにその部品に関連する図面を参照し、仕様を確認する必要が生じる。しかしながら、現状の三次元レビューツールにおいては、３Ｄイメージ以上の情報が得られないため、関連するデータを参照することが難しく、レビューに使われるための動機付けが乏しかった。
【００４７】
そのため、三次元レビューツールの利便性を活用しつつ、この三次元レビューツールに表示される情報に様々な付帯情報をヒモ付けしてデータ取得する仕組みが必要であった。
【００４８】
上述のような建設サイトにおける問題を解消するにはデータ表示装置とデータ制御装置で構成するデータ連携装置が必要だった。特に、三次元レビューツールをベースに、複数のデータ表示装置を有機的に結びつける機能を有するデータ制御装置が必要とされた。
【００４９】
そこで、建設サイトにおける上述した課題を解決するために、本発明のデータ連携装置の構成に則して、三次元レビューツールを含むデータ連携装置を構築する。
【００５０】
まず、三次元配置調整ＣＡＤで入力した部品名称を指定すると、三次元モデル上の該当する部品にジャンプするように構成する。この名称指定の方法は、三次元配置調整ＣＡＤが保有する部品リストから検索する方法や、または部品名を直接入力する方法や、あるいは系統図等の図面上の部品を直接ピックする方法がある。
【００５１】
一方、あらかじめ三次元配置調整ＣＡＤから連携用キーデータを抽出し、上流データ表示装置とリンクする検索キーを用意してある。次に、その検索キーが、どのデータ表示装置と、またそのデータ表示装置のどの部品とリンクするかを関連付けて連携用データベースを作成する。この結果、上流から伝達された連携用キーデータを用いて、下流の連携用キーデータをピックアップして、下流のデータ表示装置上で確認できるようになる。
【００５２】
このデータ連携装置において、データ表示装置が保有する系統図には、弁や計装品の属性情報（連携用キーデータ）が収納されている。この埋め込まれた属性情報（連携用キーデータ）をデータ制御装置によって、自由に取り出すことが可能である。
【００５３】
すなわち属性情報を上流の連携用キーデータとし、データ制御装置で解釈して、下流の三次元レビューツールへ伝達する。この仕組みにより、系統図の部品をピックすると、三次元レビューツールの対応する部品へジャンプする仕組みが完成した。このようなシステムは、建設サイトにおいて系統図ベースで作業することが多い計装・試運転エンジニアにとって特に都合がよい。
【００５４】
さらに、このデータ連携装置は、情報の流れが一方向に限定されず、ある作業において下流側とされたデータ表示装置を上流側として、別のデータ表示装置に部品情報を表示させることも可能である。この場合、先のデータ制御装置を介してデータをやり取りしてもよいし、別のデータ制御装置を設置してデータを伝達する構成としても良い。
【００５５】
すなわち、下流のデータ表示装置とされたデータ表示装置上の部品をクリックして、さらに他のデータ表示装置において部品仕様などの属性を可視化することも可能である。これは、データ連携装置に存在する全ての部品には名称とともに属性が付されて、系統的なデータベースとして保有されていることによる。属性情報としては、内部流体の設計圧力・温度、材質、肉厚、検査方法などの情報を付することができる。
【００５６】
また、このデータ連携装置によれば、データ表示装置に表示された部品をクリックして、電子ドキュメント管理システムに入籍された図面イメージを取得することができる。また、選択した部品と関連するＣＡＤデータを表示することが可能である。このように複数のジャンプを並列的に行うことが可能な構成になっている。
【００５７】
なお、本発明のデータ連携装置において上流側および下流側とは相対的な概念であり、データ流れの方向性が限定されない。すなわち本発明のデータ連携装置は、複数のデータ表示装置と複数のデータ制御装置とを有機的に接続し、双方向的な情報の授受が可能なシステムとして構築するものである。
【００５８】
また、上流側データ表示装置、下流側データ表示装置、およびデータ制御装置のそれぞれは、リード的に別体であるものに限定されない。
【００５９】
【発明の効果】
以上説明のように、本発明のデータ連携装置およびデータ連携方法によれば、複数のデータ表示装置をデータ制御装置により連結するシステムを構築したので、任意のデータ表示装置において連携用キーデータを選択することにより、他のデータ表示装置において関連する連携用キーデータを表示することが可能である。すなわち、複数の連携用キーデータを関連つけて表示するため、必要な情報が多角的に表現され、的確に表示されるシステムを提供することが可能である。
【図面の簡単な説明】
【図１】本発明に係るデータ連携装置の第１の実施形態を示す構成図。
【図２】本発明に係るデータ連携装置の第２の実施形態を示す構成図。
【図３】本発明に係るデータ連携装置の第３の実施形態を示す構成図。
【符号の説明】
１Ａ  データ表示装置
１Ｂ  データ制御装置
１Ｃ  データ表示装置
１ＡＡ  データ表示装置１Ａの連携用キーデータ
１Ｅ  連携用データベース
１ＣＡ  データ制御装置１Ｃの連携用キーデータ
２Ａ  データ表示装置
２Ｂ  データ表示装置
２Ｃ  データ表示装置
２ＡＡ  データ表示装置２Ａの連携用キーデータ
２ＢＡ  データ表示装置２Ｂの連携用キーデータ
２ＣＡ  データ表示装置２Ｃの連携用キーデータ
２Ｄ  データ制御装置
２Ｅ  連携用データベース
２Ｆ  データ表示装置
２Ｇ  データ表示装置
２Ｈ  データ表示装置
２ＦＡ  データ表示装置２Ｆの連携用キーデータ
２ＧＡ  データ表示装置２Ｇの連携用キーデータ
２ＨＡ  データ表示装置２Ｈの連携用キーデータ
３Ａ  データ表示装置
３Ｂ  データ制御装置
３Ｃ  データ表示装置
３Ｄ  データ制御装置
３Ｅ  データ表示装置
【図１】
2005004275.tif 000003
【図２】
2005004275.tif 000004
【図３】
2005004275.tif 000005